(57)【要約】  データ通信又は音声通信を聞くためのシステムが提供される。本システムは、データメッセージもしくは音声メッセージ、又はデータメッセージと音声メッセージの両方を含むメッセージを受信するように動作可能な少なくとも１つのアンテナを含む。無線ユニットは少なくとも１つのアンテナと通信し、無線ユニットは、少なくとも１つのアンテナからのメッセージに対応する信号を受信するように動作可能である。プロセッサユニットは無線ユニットと通信し、プロセッサユニットは、メッセージに対応する信号を処理するように動作可能である。ディスプレイユニットはプロセッサユニットと通信し、ディスプレイユニットは、メッセージに対応する信号に応答して動作可能に有効にされる。ディスプレイユニットは、メッセージをテキストフォーマット又はグラフィックスフォーマットで示すように動作可能である。
2019536298.tif 000002
【特許請求の範囲】
【請求項１】
データ通信又は音声通信を聞くためのシステムであって、前記システムは、
データメッセージもしくは音声メッセージ、又はデータメッセージと音声メッセージの両方を含むメッセージを受信するように動作可能な少なくとも１つのアンテナと、
前記少なくとも１つのアンテナと通信する無線ユニットであって、前記少なくとも１つのアンテナからの前記メッセージに対応する信号を受信するように動作可能な、無線ユニットと、
前記無線ユニットと通信するプロセッサユニットであって、前記メッセージに対応する前記信号を処理するように動作可能な、プロセッサユニットと、
前記プロセッサユニットと通信するディスプレイユニットであって、前記メッセージに対応する前記信号に応答して動作可能に有効にされ、前記メッセージをテキストフォーマット又はグラフィックスフォーマットで示すように動作可能な、ディスプレイユニットと
を含む、システム。
【請求項２】
前記少なくとも１つのアンテナ、前記無線ユニット、前記プロセッサユニット、及び前記ディスプレイユニットは、すべてモバイルコンピューティングデバイスにおいて実装される、請求項１に記載のシステム。
【請求項３】
前記少なくとも１つのアンテナは、前記モバイルコンピューティングデバイスに組み込まれ、前記無線ユニットは、ソフトウェア無線機を含む、請求項２に記載のシステム。
【請求項４】
前記無線ユニットと通信する選択可能なインターフェースをさらに含み、前記プロセッサユニット及び前記ディスプレイユニットは、モバイルコンピューティングデバイスにおいて実装され、前記選択可能なインターフェースは、前記無線ユニットと前記モバイルコンピューティングデバイスとの間の通信接続を提供する、請求項１に記載のシステム。
【請求項５】
前記無線ユニットは、超高周波（ＶＨＦ）無線機、衛星通信（ＳＡＴＣＯＭ）無線機、又は高周波（ＨＦ）無線機を含む、請求項４に記載のシステム。
【請求項６】
前記通信接続は、オーディオ接続、ユニバーサルシリアルバス（ＵＳＢ）接続、又は短距離ワイヤレス接続を含む、請求項４に記載のシステム。
【請求項７】
地理的又は干渉シナリオに基づく前記少なくとも１つのアンテナと１つ又は複数のリレーアンテナとの間の状況に応じた切替えのための制御論理を含む切替え可能無線周波数（ＲＦ）アンテナユニットをさらに含む、請求項１に記載のシステム。
【請求項８】
前記１つ又は複数のリレーアンテナは、航空機のコックピットガラス中に埋め込まれたフレキシブルアンテナを含む、請求項７に記載のシステム。
【請求項９】
前記無線ユニットは、オンボードアビエーション無線機を含む、請求項５に記載のシステム。
【請求項１０】
前記オンボードアビエーション無線機と動作可能に通信するオンボードアビエーション通信管理ユニット（ＣＭＵ）をさらに含み、前記オンボードアビエーションＣＭＵは、衛星通信（ＳＡＴＣＯＭ）信号、高周波（ＨＦ）信号、又は他のメディア信号を受信するように構成された、請求項９に記載のシステム。
【請求項１１】
情報が、処理され、前記モバイルコンピューティングデバイスへの前記情報の送信のために、前記オンボードアビエーションＣＭＵから適切なチャネルに同調された前記オンボードアビエーション無線機に送られる、請求項１０に記載のシステム。
【請求項１２】
前記ディスプレイユニットは、任意の受信されたデータメッセージ又は音声メッセージを地理的マップ上のオーバーレイとして示すように動作可能である、請求項１に記載のシステム。
【請求項１３】
前記無線ユニットによって受信される音声メッセージは、前記ディスプレイユニットが、指定されたフォーマットで前記音声メッセージからの情報を示すことを可能にする、前記プロセッサユニットによって認識される、請求項１に記載のシステム。
【請求項１４】
前記プロセッサユニットは、
指定されたスカイエリアのための、地上局からブロードキャストされたもの、
前記プロセッサユニットが存在するものとは異なる指定された航空機からのもの、
前記プロセッサユニットが存在する航空機からのもの、又は
特定のメッセージタイプ
であるデータメッセージ又は音声メッセージを聞くように構成可能である埋込みアルゴリズムを使用して情報メッセージ拡張プロトコルを実行するように動作可能である、請求項１に記載のシステム。
【請求項１５】
前記特定のメッセージタイプは、ＡＲＩＮＣ６１８メッセージ、ＡＲＩＮＣ６２３エアトラフィックサービス（ＡＴＳ）メッセージ、航空情報（ＮＯＴＡＭ）メッセージ、定時航空実況気象通報式、空港ターミナル情報サービス（ＡＴＩＳ）メッセージ、又はデータベースによって定義された航空路線固有メッセージを含む、請求項１４に記載のシステム。
【請求項１６】
前記プロセッサは、
現在位置情報を使用することによって、前記メッセージを受信するための適切な周波数を自動的に決定することと、
前記無線ユニットを前記適切な周波数に同調させることと
を行うように構成される、請求項１４に記載のシステム。
【請求項１７】
前記プロセッサユニットは、受信されたメッセージのうちのいずれが後続すべきかに関する決定を提供するか、又はさらなる決定のために地上局に送られる報告をトリガする、前記受信されたデータメッセージと受信された音声メッセージとの間の優先度決定及び相互検査論理を含む埋込みアルゴリズムを使用して検証及び安全拡張プロトコルを実行するように構成された、請求項１に記載のシステム。
【請求項１８】
データ通信又は音声通信を聞くためのシステムであって、前記システムは、
データメッセージもしくは音声メッセージ、又はデータメッセージと音声メッセージの両方を含むメッセージを受信するように動作可能な少なくとも１つのアンテナと、
前記少なくとも１つのアンテナと通信する航空無線機であって、前記少なくとも１つのアンテナから前記メッセージを受信するように動作可能であり、超高周波（ＶＨＦ）無線機、衛星通信（ＳＡＴＣＯＭ）無線機、又は高周波（ＨＦ）無線機を含む、航空無線機と、
前記航空無線機と通信する選択可能なインターフェースであって、前記メッセージに対応する信号を受信するように動作可能な、選択可能なインターフェースと
前記選択可能なインターフェースを通して前記航空無線機と通信するモバイルコンピューティングデバイスであって、前記選択可能なインターフェースからの前記メッセージに対応する前記信号を受信するように動作可能な、モバイルコンピューティングデバイスとを含み、前記モバイルコンピューティングデバイスは、
前記メッセージに対応する前記信号を処理するように動作可能なプロセッサユニットと、
前記プロセッサユニットと通信するディスプレイユニットであって、前記メッセージに対応する前記信号に応答して動作可能に有効にされ、前記メッセージをテキストフォーマット又はグラフィックスフォーマットで示すように動作可能な、ディスプレイユニットと
を含む、システム。
【請求項１９】
前記モバイルコンピューティングデバイスは、タブレットコンピュータを含む、請求項１８に記載のシステム。
【請求項２０】
データ通信又は音声通信を聞くためのモバイルコンピューティングデバイスであって、
アビエーション帯域幅中で少なくとも１つのアンテナからデータメッセージもしくは音声メッセージ、又はデータメッセージと音声メッセージの両方を含むメッセージに対応する信号を受信するように動作可能なソフトウェア無線機と、
前記ソフトウェア無線機と通信するプロセッサユニットであって、前記メッセージに対応する前記信号を処理するように動作可能な、プロセッサユニットと、
前記プロセッサユニットと通信するディスプレイユニットであって、前記メッセージに対応する前記信号に応答して動作可能に有効にされ、前記メッセージをテキストフォーマット又はグラフィックスフォーマットで示すように動作可能な、ディスプレイユニットと
を含む、モバイルコンピューティングデバイス。
【発明の詳細な説明】
【技術分野】
【０００１】
本発明は、データ通信又は音声通信を聞くためのポータブルデータリンク機器に関する。
【背景技術】
【０００２】
[0001]データリンク機器は、データ通信のために商業及びビジネス航空機上で通常使用されるが、民間航空（ＧＡ：ｇｅｎｅｒａｌ  ａｖｉａｔｉｏｎ）や航空輸送及び地域用（ＡＴＲ：ａｉｒ  ｔｒａｎｓｐｏｒｔａｔｉｏｎ  ａｎｄ  ｒｅｇｉｏｎａｌ）航空機については、世界中のいくつかのエリアにおいて利用可能でない。米国では、ＧＡ及びＡＴＲ航空機は、気象通報、悪天候情報（ＳＩＧＭＥＴ：Ｓｉｇｎｉｆｉｃａｎｔ  Ｍｅｔｅｏｒｏｌｏｇｉｃａｌ  Ｉｎｆｏｒｍａｔｉｏｎ）、又は航空情報（ＮＯＴＡＭ：Ｎｏｔｉｃｅ  ｔｏ  Ａｉｒｍｅｎ）など、重要な情報を含んでいるデータをブロードキャストする飛行情報システムブロードキャスト（ＦＩＳ−Ｂ：Ｆｌｉｇｈｔ  Ｉｎｆｏｒｍａｔｉｏｎ  Ｓｙｓｔｅｍ−Ｂｒｏａｄｃａｓｔ）を介して、ブロードキャスティングデータを受信することが可能である。世界中のいくつかの他の領域では、ＦＩＳ−Ｂは、普及していないか、又はブロードキャスト帯域は、政府によって制御され、利用可能でない。
【発明の概要】
【発明が解決しようとする課題】
【０００３】
とはいえ、これらの他の領域におけるＧＡ及びＡＴＲ航空機もまた、潜在的な安全でない操作又は着陸条件を回避するために、気象情報、又は地上からの最新の飛行情報を知る必要がある。
【課題を解決するための手段】
【０００４】
[0002]データ通信又は音声通信を聞く（ｏｖｅｒｈｅａｒ）ためのシステムが提供される。本システムは、データメッセージ又は音声メッセージ、あるいはデータメッセージと音声メッセージの両方を含むメッセージを受信するように動作可能な少なくとも１つのアンテナを含む。無線ユニットは少なくとも１つのアンテナと通信しており、無線ユニットは、少なくとも１つのアンテナからのメッセージに対応する信号を受信するように動作可能である。プロセッサユニットは無線ユニットと通信しており、プロセッサユニットは、メッセージに対応する信号を処理するように動作可能である。ディスプレイユニットはプロセッサユニットと通信しており、ディスプレイユニットは、メッセージに対応する信号に応答して動作可能に有効にされる。ディスプレイユニットは、メッセージをテキストフォーマット又はグラフィックスフォーマットで示すように動作可能である。
【０００５】
[0003]本発明の特徴は、図面に関する以下の説明から当業者には明らかになろう。図面が、一般的な実施形態を示すにすぎず、したがって、範囲を限定するものと見なされるべきではなく、本発明は、添付の図面の使用によって追加の特異性及び詳細とともに説明されることを理解されたい。
【図面の簡単な説明】
【０００６】
【図１】[0004]一実施形態によるデータ通信又は音声通信を聞くためのシステムのブロック図である。
【図２】[0005]航空機中でデータ通信又は音声通信を聞くためのシステムの例示的な実装形態のブロック図である。
【図３】[0006]航空機中でデータ通信又は音声通信を聞くためのシステムの別の例示的な実装形態のブロック図である。
【図４】[0007]別の実施形態によるデータ通信又は音声通信を聞くためのシステムのブロック図である。
【図５】[0008]通信を聞くためのシステムを介して禁止空域を識別するためのプロシージャを実装するための方法の流れ図である。
【図６】[0009]２次元モードにおいてディスプレイユニット上に示されるマップ上に提示され、強調される制限又は禁止空域の一例を示す図である。
【図７】[0010]図６のマップからの制限空域が３次元モードにおいてどのように実装され、表示され得るかの一例を示す図である。
【発明を実施するための形態】
【０００７】
[0011]以下の発明を実施するための形態では、実施形態は、当業者が本発明を実施することができるように十分に詳しく説明される。他の実施形態は、本発明の範囲から逸脱することなく利用され得ることを理解されたい。したがって、以下の発明を実施するための形態は限定的な意味にとられるべきではない。
【０００８】
[0012]超高周波（ＶＨＦ）、衛星通信（ＳＡＴＣＯＭ）、高周波（ＨＦ）、又は他のメディア帯域を介してメッセージを聞くことを用いた、効率的な、ポータブルデータリンク機器を提供するためのシステム及び方法が、本明細書で説明される。概して、モバイルコンピューティングデバイスなど、ポータブルディスプレイユニット中のメッセージ及び／又は音声対応表示とともに、聞くためのデータリンク接続及びデータアプリケーションシステムが提供される。
【０００９】
[0013]概して、データ通信又は音声通信を聞くためのシステムは、データメッセージ及び音声メッセージを受信するように動作可能な少なくとも１つのアンテナと、アンテナからデータメッセージ及び音声メッセージに対応する信号を受信するように動作可能な無線ユニットと、データメッセージ及び音声メッセージに対応する信号を処理するように動作可能なプロセッサユニットと、データメッセージ及び音声メッセージに対応する信号に応答して動作可能に有効にされるディスプレイユニットとを含む。
【００１０】
[0014]一実施形態では、アンテナ、無線ユニット、プロセッサユニット、及びディスプレイユニットはすべて、タブレットコンピュータ（たとえば、ｉＰａｄ）、又は他のパーソナルデバイスなど、モバイルコンピューティングデバイスにおいて実装される。この実施例では、アンテナは、モバイルコンピューティングデバイスに組み込まれ得、無線ユニットは、モバイルコンピューティングデバイス上に存在する専用ソフトウェア無線機（ソフトウェア定義無線機、ＳＤＲ：software defined radio）である。
【００１１】
[0015]別の実施形態では、無線ユニットは、選択可能なインターフェースを通してモバイルコンピューティングデバイスに接続された、ＶＨＦ無線機、ＳＡＴＣＯＭ無線機、又はＨＦ無線機など、外部無線機であり得る。この実施例では、モバイルコンピューティングデバイスは、プロセッサユニット及びディスプレイユニットを含む。
【００１２】
[0016]いくつかの実施形態では、地理的又は干渉シナリオに基づく少なくとも２つのアンテナ間の状況に応じた切替えのための制御論理を含む切替え可能無線周波数（ＲＦ）アンテナユニットが採用され得る。切替え可能ＲＦアンテナユニットは、無線ユニットに結合された少なくとも１つの外部リレーアンテナ及び少なくとも１つの機器アンテナを含む。
【００１３】
[0017]モバイルコンピューティングデバイス中のディスプレイユニットは、様々なディスプレイ拡張特徴を提供するように構成される。たとえば、受信されたメッセージは、ディスプレイユニットの画面上に示された実マップを拡張するために、地理的マップ上に表示され、オーバーレイされ得る。さらに、無線機を介して受信された音声情報は、特定の表示を有効にするために認識され得る。たとえば、音声コマンドは、テキストフォーマット又はグラフィカルフォーマットのいずれかで認識され、視覚的に表示され、次いで、特定のポップアップメッセージなど、何らかの拡張された表示をトリガし得る。表示されたメッセージは、異なるカテゴリーに分類され、異なる色、異なるきらめき効果（ｔｗｉｎｋｌｉｎｇ  ｅｆｆｅｃｔ）など、異なるフォーマットで示され得る。一例では、埋込みアルゴリズムによって認識され得る音声メッセージからの禁止空域情報がある場合、表示された地理的マップ中で禁止空域を示すために、グラフィカルエリアがプロットされる。
【００１４】
[0018]情報メッセージ拡張プロトコルは、特定の航空機及び特定のメッセージタイプのための特定のスカイエリア中のメッセージを聞くように構成可能である埋込みアルゴリズムを使用して実装され得る。たとえば、実飛行シナリオ及び状況に関して、埋込みアルゴリズムは、飛行履歴中の従来のエリア及び／又は飛行の前に記憶された知覚可能なエリアなど、特定のスカイエリア中のメッセージを聞くことができる。地上局は、特定のスカイエリアのためにブロードキャストされる特定のアビエーションメッセージを提供することができる。
【００１５】
[0019]一実施形態では、検証及び安全拡張プロトコルが提供され得る。たとえば、受信されたデータリンクメッセージと受信されたＶＨＦ音声メッセージとの間の優先度決定及び相互検査（ｃｒｏｓｓ  ｃｈｅｃｋ）論理が実装され得る。相互検査論理は、どのメッセージに後続するべきかを決定することができるか、又はさらなる決定のために地上局への報告をトリガすることができる。音声メッセージとテキストメッセージとの間に軽微な不整合がある場合、相互検査論理は、音声メッセージが信用されるべきであること、又はどのメッセージが信用されるべきであるかを検証するために「確認」メッセージが地上局に送られ得ることを示すことができる。
【００１６】
[0020]本システム及び方法は、民間航空（ＧＡ）の航空機、又は航空輸送及び地域用（ＡＴＲ）航空機にとって特に有益である、コスト効率の良いデータリンク実装形態を提供する。本方法は、航空情報（ＮＯＴＡＭ）、航空交通管制（ＡＴＣ：ａｉｒ  ｔｒａｆｆｉｃ  ｃｏｎｔｒｏｌ）、及び気象情報を最小コストでグラフィカルに表示し、非認定アプリケーションがポータブルディスプレイユニット中で使用されることを可能にするためのやり方を提供する。
【００１７】
[0021]一実施形態では、タブレットコンピュータなどのモバイルコンピューティングデバイスにおいて実装される通信管理ユニット（ＣＭＵ）は、地上局又は他の航空機からデータリンクメッセージを受信するために、ポータブルＶＨＦ無線機又はオンボードＶＨＦ無線機など、外部のアビエーション又は航空無線機と接続される。この構成は、たとえば、ＧＡデータリンクソリューションにおいて有用である。別の実施形態では、専用ソフトウェア無線機（ＳＤＲ）は、ＣＭＵへの信号入力のために外部のアビエーション又は航空無線機に取って代わることができ、ＳＤＲは、ＣＭＵと同じタブレットコンピュータ上に存在する。この構成は、たとえば、ＡＴＲデータリンクソリューションにおいて有用である。他の実施形態では、情報は、モバイルコンピューティングデバイスへの情報の送信のために、オンボードアビエーションＣＭＵから適切な周波数に同調されたオンボードアビエーション無線機に送られ得る。
【００１８】
[0022]本手法が、マスタ通信システム及びスレーブ通信システムを有する航空機フリートにおいて実装されるとき、スレーブシステムは、アビエーション無線機を介してマスタメッセージを聞くことになる。特定の季節において、航空機中のアビエーション無線機は、気象情報を監視するために使用され、危険な気象を識別し、任意の災害を回避するのを助け得る。
【００１９】
[0023]本システム及び方法のさらなる詳細が、図面を参照しながら以下で説明される。
[0024]図１は、一実施形態によるデータ通信又は音声通信を聞くためのシステム１００を示す。システム１００は、概して、様々なソースからデータメッセージ又は音声メッセージを受信するように構成された少なくとも１つの無線周波数（ＲＦ）アンテナ１１０を含む。無線ユニット１２０はＲＦアンテナ１１０と通信しており、データメッセージ又は音声メッセージに対応する信号を受信するように動作可能である。たとえば、無線ユニットは、ＶＨＦ無線機、ＳＡＴＣＯＭ無線機、又はＨＦ無線機であり得る。プロセッサユニット１３０は無線ユニット１２０と通信しており、データメッセージ又は音声メッセージに対応する信号を処理するように動作可能である。ディスプレイユニット１４０はプロセッサユニット１３０と通信しており、データメッセージ又は音声メッセージに対応する信号に応答して動作可能に有効にされる。ディスプレイユニット１４０は、以下でさらに説明されるように、データメッセージ又は音声メッセージを、拡張特徴をもつテキストフォーマット又はグラフィックスフォーマットで示すように動作可能である。
【００２０】
[0025]一実施形態では、プロセッサユニット１３０は、指定されたスカイエリアのための、地上局からブロードキャストされたもの、プロセッサユニットが存在するものとは異なる指定された航空機からのもの、プロセッサユニットが存在する航空機からのもの、又は特定のメッセージタイプであるデータメッセージ又は音声メッセージを聞くように構成可能である埋込みアルゴリズムを使用して情報メッセージ拡張プロトコルを実行するように動作可能である。特定のメッセージタイプの例は、ＡＲＩＮＣ６１８メッセージ、ＡＲＩＮＣ６２３エアトラフィックサービス（ＡＴＳ）メッセージ、ＮＯＴＡＭメッセージ、定時航空実況気象通報式（ＭＥＴＡＲ：ｍｅｔｅｏｒｏｌｏｇｉｃａｌ  ａｖｉａｔｉｏｎ  ｒｅｐｏｒｔ）メッセージ、空港ターミナル情報サービス（ＡＴＩＳ：ａｉｒｐｏｒｔ  ｔｅｒｍｉｎａｌ  ｉｎｆｏｒｍａｔｉｏｎ  ｓｅｒｖｉｃｅｓ）メッセージ、又はデータベースによって定義された航空路線固有メッセージを含む。プロセッサユニットはまた、現在位置情報を使用することによって、メッセージを受信するための適切な周波数を自動的に決定することと、無線ユニットを適切な周波数に同調させることとを行うように構成される。
【００２１】
[0026]図２は、航空機中でデータ通信又は音声通信を聞くためのシステム２００の例示的な実装形態を示す。この実装形態では、航空機のコックピットガラス中に埋め込まれたフレキシブルアンテナなど、少なくとも１つのリレーアンテナ２１２と、ＶＨＦ無線機など、ポータブルアビエーション無線機２２０中の無線受信機と結合された少なくとも１つの機器アンテナ２１４とを含む、切替え可能ＲＦアンテナユニット２１０が利用される。代替実施形態では、アビエーション無線機２２０は、航空機中に設置されたＶＨＦ無線機など、オンボードアビエーション無線機であり得る。
【００２２】
[0027]アンテナ制御モジュール２１６は、リレーアンテナ２１２及び機器アンテナ２１４と動作可能に通信しており、地理的又は干渉シナリオに基づくリレーアンテナ２１２と機器アンテナ２１４との間の状況に応じた切替えのための制御論理を提供する。たとえば、機器アンテナ２１４が良好な信号受信性能を有するエリアでは、リレーアンテナ２１２は、コックピット環境における信号中継のワイヤレス干渉を最小限に抑えるために、オフに切り替えられ得る。機器アンテナ２１４が不十分な信号受信性能を有するエリアでは、リレーアンテナ２１２は、受信された信号を機器アンテナ２１４に中継するために、オンに切り替えられ得る。
【００２３】
[0028]選択可能なインターフェース２３０はアビエーション無線機２２０と通信しており、データメッセージ又は音声メッセージに対応する信号を送信するように動作可能である。図２に示されているように、選択可能なインターフェース２３０は、アビエーション無線機２２０とモバイルコンピューティングデバイス２４０との間の通信接続を提供する。通信接続は、たとえば、オーディオ接続、ユニバーサルシリアルバス（ＵＳＢ）接続、又は短距離ワイヤレス接続であり得る。モバイルコンピューティングデバイス２４０は、タブレットコンピュータ、又はディスプレイ画面を有する他のポータブルパーソナルデバイスであり得る。
【００２４】
[0029]モバイルコンピューティングデバイス２４０は、任意の受信されたデータメッセージ又は音声メッセージを、地理的マップ上のオーバーレイなど、拡張現実（augmented reality）フォーマット２４４で示すように動作可能なディスプレイを含む。別の例では、アビエーション無線機２２０によって受信される音声メッセージは、モバイルコンピューティングデバイス２４０中のプロセッサによって認識され、モバイルコンピューティングデバイス２４０は、音声メッセージからの情報を、指定されたフォーマットで示すようにディスプレイに指示する。
【００２５】
[0030]一実施形態では、モバイルコンピューティングデバイス２４０は、データリンクメッセージに対応するアビエーション無線機２２０からの信号を処理することと、データリンクメッセージの表現をテキストフォーマット又はグラフィックスフォーマットで示すために、処理された信号をディスプレイにダイレクトすることとを行うように構成された、アビエーション通信管理ユニット（ＣＭＵ）を含む。
【００２６】
[0031]図２に示されているように、地上局及びサービスセンター２５０は、悪天候情報（ＳＩＧＭＥＴ）報告、ＮＯＴＡＭ報告、航空交通管制（ＡＴＣ）情報、及びニュース報道を含む気象通報など、特定の航空情報、並びに音声通信をブロードキャストする。ブロードキャストされた航空情報及び音声通信は、切替え可能アンテナユニット２１０を通してアビエーション無線機２２０によって受信され、表示のために選択可能なインターフェース２３０を通してモバイルコンピューティングデバイス２４０に送られる。
【００２７】
[0032]選択可能なインターフェース２３０を介したアビエーション無線機２２０からの航空情報及び音声受信に加えて、アビエーション無線機２２０の通信周波数及びモードを変更するためのコマンドなど、制御コマンドメッセージが、選択可能なインターフェース２３０上で交換され得る。たとえば、周波数同調コマンドが、オーディオインターフェースを介して送られ得る。コックピット緊急事態の場合、アビエーション無線機２２０は、相互検査による緊急報告など、至急（ｕｒｇｅｎｔ）メッセージを地上局及びサービスセンター２５０にトリガするために使用され得る。
【００２８】
[0033]図３は、別の態様による航空機中でデータ通信又は音声通信を聞くためのシステム３００の例示的な実装形態を示す。システム３００では、オンボードアビオニクスシステム３１０は、ＶＨＦ無線機など、オンボードアビエーション無線機３１２と、アビエーション無線機３１２と動作可能に通信しているオンボードアビエーションデータリンクＣＭＵ３１４とを含む。ＣＭＵ３１４は、衛星通信（ＳＡＴＣＯＭ）受信機３１６からのＳＡＴＣＯＭ信号、高周波（ＨＦ）受信機３１８からのＨＦ信号、又は１つ又は複数の他のメディア受信機３２０からの他のメディア信号を受信するように構成される。ＳＡＴＣＯＭ信号、ＨＦ信号、又は他のメディア信号は、処理され、送信のためにＣＭＵ３１４からアビエーション無線機３１２に送られる。アビエーション無線機３１２は、地上局からのデータメッセージ又は音声メッセージを受信するために、前に説明されたような切替え可能ＲＦアンテナユニットに動作可能に結合され得る。
【００２９】
[0034]ポータブル聴覚システム３３０は、モバイルコンピューティングデバイス（たとえば、タブレットコンピュータ）と通信する選択可能なインターフェースなど、前に説明されたような様々な構成要素を含む。動作中に、受信されたＳＡＴＣＯＭ信号、ＨＦ信号、他のメディア信号、又は地上局からの情報など、モバイルコンピューティングデバイス上の様々なソースからの情報の処理及び表示のために、ＶＨＦ信号など、信号が、アビエーション無線機３１２からポータブル聴覚システム３３０に送信される。さらに、情報（たとえば、現在のルート／飛行プラン）は、処理され、ＣＭＵ３１４自体からアビエーション無線機３１２を介して送られ、ポータブル聴覚システム３３０上の情報の処理及び表示のために、適切なチャネルに同調され得る。
【００３０】
[0035]図４は、別の実施形態によるデータ通信又は音声通信を聞くためのシステム４００を示す。システム４００は、少なくとも１つのビルトインアンテナ４２０からのデータメッセージ及び音声メッセージに対応する信号を受信するように動作可能なソフトウェア無線機４１０を含む。プロセッサユニット４３０はソフトウェア無線機４１０と通信しており、データメッセージ又は音声メッセージに対応する信号を処理するように動作可能である。ディスプレイユニット４４０はプロセッサユニット４３０と通信しており、データメッセージ又は音声メッセージに対応する信号に応答して動作可能に有効にされる。ディスプレイユニット４４０は、データメッセージ又は音声メッセージを、拡張現実など、様々な拡張特徴をもつテキストフォーマット又はグラフィックスフォーマットで示すように動作可能である。
【００３１】
[0036]システム４００は、タブレットコンピュータ（たとえば、ｉＰａｄ）又は他のパーソナルデバイスなど、モバイルコンピューティングデバイスにおいて実装され得る。一実装形態では、システム４００は、航空機中でデータ通信又は音声通信を聞くために構成され得る。この実装形態では、ソフトウェア無線機４１０は、アビエーション帯域幅中で信号を受信するように動作可能であり、プロセッサユニット４３０はアビエーションＣＭＵを含む。
【００３２】
[0037]通信を聞くための上記のシステムは、これらのシステム中のプロセッサが、受信されたデータメッセージと受信された音声メッセージとの間の優先度決定及び相互検査論理を含む埋込みアルゴリズムを使用して検証及び安全拡張プロトコルを実行するように構成されるように、構成され得る。これは、受信されたメッセージのうちのいずれが後続すべきかに関する決定を提供するか、又はさらなる決定のために地上局に送られる報告をトリガする。
【００３３】
[0038]たとえば、図５は、前に説明されたものなど、通信を聞くためのシステムを介して禁止空域を識別するためのプロシージャを実装するための方法５００の流れ図である。最初に、システムは、受信信号品質をセキュアにし、改善するために、拡張されたアンテナを使用するように構成される（ブロック５１０）。たとえば、前に説明された切替え可能ＲＦアンテナユニットは、アンテナ制御のための履歴エクスペリエンス又は何らかの他の情報を使用する制御論理を用いて実装され得る。
【００３４】
[0039]飛行中に、禁止空域情報メッセージが、ポータブルＶＨＦ無線機を通してＮＯＴＡＭからデータリンクを介して受信され（ブロック５２０）、ＶＨＦ音声メッセージからも受信され（ブロック５３０）、情報が正確である（「ＯＫ」）と決定するための検証のための相互検査を用いる。その後、方法５００は、（たとえば、強調色」で）表示データ情報を作成し、表示データ情報をディスプレイユニットに送る（ブロック５４０）。次いで、禁止空域は、ディスプレイユニット上に強調色で飛行マップ又はナビゲーションマップ上に提示される（ブロック５５０）。場合によっては、音声警告メッセージが作成され、リマインダとして禁止空域までの距離に関してパイロットに提示される（ブロック５６０）。
【００３５】
[0040]図６は、モバイルコンピューティングデバイスのディスプレイユニット上に示されるマップ６１０上に提示され、強調される制限又は禁止空域の一例を示す。空域は、以下のように、ＮＯＴＡＭによって「制限」又は「禁止」として定義され得る。
【００３６】
Ａ３５５１／１５  ＮＯＴＡＭＮ
Ｑ）ＺＸＸＸ／ＱＲＴＣＡ／ＩＶ／ＢＯ／Ｗ／０００／９９９／２６０４Ｎ１１４１２Ｅ０１６
Ａ）ＺＳＨＡ
Ｂ）１５１２０９１６４０
Ｃ）１５１２３１１７２９
Ｅ）Ｎ２６０８Ｅ１１４２９−Ｎ２６１５Ｅ１１４００−Ｎ２５５９Ｅ１１３５６−Ｎ２５５２Ｅ１１４２５  ＢＡＣＫ  ＴＯ  ＳＴＡＲＴによって画定された、確立された一時制限エリア
マップ６１０は、２次元平面図モードにおいて表示される２つの制限空域領域６２０及び６３０を示し、強調する。代替的に、制限空域領域は、３次元モードにおいても実装され、表示され得る。図７に示されているように、たとえば、制限空域領域６２０は、制限空域領域の地上又はより低い飛行レベルＸＸＸ及び無制限又はより高い飛行レベルＸＸＸに関する情報を含む、３次元モード７１０に再構成され得る。
【００３７】
[0041]本システム及び方法において使用されるコンピュータ又はプロセッサは、当業者に知られているように、ソフトウェア、ファームウェア、ハードウェア、又はそれらの任意の適切な組合せを使用して実装され得る。これらは、特別に設計された特定用途向け集積回路（ＡＳＩＣ）又はフィールドプログラマブルゲートアレイ（ＦＰＧＡ）によって補われ、又はそれらに組み込まれ得る。コンピュータ又はプロセッサはまた、本方法及びシステムにおいて使用される様々なプロセスタスク、計算、及び制御機能を実行するためのソフトウェアプログラム、ファームウェア、又は他のコンピュータ可読命令をもつ機能を含むことができる。
【００３８】
[0042]本方法は、少なくとも１つのプロセッサによって実行され得る、プログラムモジュール又は構成要素など、コンピュータ実行可能命令によって実装され得る。概して、プログラムモジュールは、特定のタスクを実行するか又は特定の抽象データ型を実装する、ルーチン、プログラム、オブジェクト、データ構成要素、データ構造、アルゴリズムなどを含む。
【００３９】
[0043]本明細書で説明される方法の動作において使用される、様々なプロセスタスク、計算、及び他のデータの生成を行うための命令は、ソフトウェア、ファームウェア、又は他のコンピュータ可読命令又はプロセッサ可読命令において実装され得る。これらの命令は、一般に、コンピュータ可読命令又はデータ構造の記憶のために使用されるコンピュータ可読媒体を含む任意の適切なコンピュータプログラム製品に記憶される。そのようなコンピュータ可読媒体は、汎用又は専用コンピュータ又はプロセッサ、あるいは任意のプログラマブル論理デバイスによってアクセスされ得る任意の利用可能な媒体であり得る。
【００４０】
[0044]好適なプロセッサ可読媒体は、磁気媒体又は光媒体など、記憶媒体又はメモリ媒体を含み得る。たとえば、記憶媒体又はメモリ媒体は、従来のハードディスク、コンパクトディスク、ＤＶＤ、Ｂｌｕ−ｒａｙディスク、又は他の光ストレージディスク、ランダムアクセスメモリ（ＲＡＭ）、読取り専用メモリ（ＲＯＭ）、電気的消去可能プログラマブルＲＯＭ（ＥＥＰＲＯＭ）、フラッシュメモリなど、揮発性又は不揮発性媒体、あるいはコンピュータ実行可能命令又はデータ構造の形態の所望のプログラムコードを搬送又は記憶するために使用され得る他の媒体を含み得る。
例示的な実施形態
[0045]例１は、データ通信又は音声通信を聞くためのシステムであって、システムは、データメッセージ又は音声メッセージ、あるいはデータメッセージと音声メッセージの両方を含むメッセージを受信するように動作可能な少なくとも１つのアンテナと、少なくとも１つのアンテナと通信している無線ユニットであって、少なくとも１つのアンテナからのメッセージに対応する信号を受信するように動作可能な、無線ユニットと、無線ユニットと通信しているプロセッサユニットであって、メッセージに対応する信号を処理するように動作可能な、プロセッサユニットと、プロセッサユニットと通信しているディスプレイユニットであって、メッセージに対応する信号に応答して動作可能に有効にされ、メッセージをテキストフォーマット又はグラフィックスフォーマットで示すように動作可能な、ディスプレイユニットとを含む、システムを含む。
【００４１】
[0046]例２は、少なくとも１つのアンテナ、無線ユニット、プロセッサユニット、及びディスプレイユニットが、すべてモバイルコンピューティングデバイスにおいて実装される、例１のシステムを含む。
【００４２】
[0047]例３は、少なくとも１つのアンテナが、モバイルコンピューティングデバイスに組み込まれ、無線ユニットが、ソフトウェア無線機を含む、例２のシステムを含む。
[0048]例４は、無線ユニットと通信している選択可能なインターフェースをさらに含み、プロセッサユニット及びディスプレイユニットが、モバイルコンピューティングデバイスにおいて実装され、選択可能なインターフェースが、無線ユニットとモバイルコンピューティングデバイスとの間の通信接続を提供する、例１のシステムを含む。
【００４３】
[0049]例５は、無線ユニットが、超高周波（ＶＨＦ）無線機、衛星通信（ＳＡＴＣＯＭ）無線機、又は高周波（ＨＦ）無線機を含む、例４のシステムを含む。
[0050]例６は、通信接続が、オーディオ接続、ユニバーサルシリアルバス（ＵＳＢ）接続、又は短距離ワイヤレス接続を含む、例４〜例５のうちのいずれかのシステムを含む。
【００４４】
[0051]例７は、地理的又は干渉シナリオに基づく少なくとも１つのアンテナと１つ又は複数のリレーアンテナとの間の状況に応じた切替えのための制御論理を含む切替え可能無線周波数（ＲＦ）アンテナユニットをさらに含む、例１〜例６のうちのいずれかのシステムを含む。
【００４５】
[0052]例８は、１つ又は複数のリレーアンテナが、航空機のコックピットガラス中に埋め込まれたフレキシブルアンテナを含む、例７のシステムを含む。
[0053]例９は、無線ユニットが、オンボードアビエーション無線機を含む、例５〜例８のいずれのシステムを含む。
【００４６】
[0054]例１０は、オンボードアビエーション無線機と動作可能に通信しているオンボードアビエーション通信管理ユニット（ＣＭＵ）をさらに含み、オンボードアビエーションＣＭＵが、ＳＡＴＣＯＭ信号、ＨＦ信号、又は他のメディア信号を受信するように構成された、例９のシステムを含む。
【００４７】
[0055]例１１は、情報が、処理され、モバイルコンピューティングデバイスへの情報の送信のために、オンボードアビエーションＣＭＵから適切なチャネルに同調されたオンボードアビエーション無線機に送られる、例１０のシステムを含む。
【００４８】
[0056]例１２は、ディスプレイユニットが、任意の受信されたデータメッセージ又は音声メッセージを地理的マップ上のオーバーレイとして示すように動作可能である、例１〜例１１のうちのいずれかのシステムを含む。
【００４９】
[0057]例１３は、無線ユニットによって受信される音声メッセージが、ディスプレイユニットが、指定されたフォーマットで音声メッセージからの情報を示すことを可能にする、プロセッサユニットによって認識される、例１〜例１２のいずれかのシステムを含む。
【００５０】
[0058]例１４は、プロセッサユニットが、指定されたスカイエリアのための、地上局からブロードキャストされたもの、プロセッサユニットが存在するものとは異なる指定された航空機からのもの、プロセッサユニットが存在する航空機からのもの、又は特定のメッセージタイプであるデータメッセージ又は音声メッセージを聞くように構成可能である埋込みアルゴリズムを使用して情報メッセージ拡張プロトコルを実行するように動作可能である、例１〜例１３のうちのいずれかのシステムを含む。
【００５１】
[0059]例１５は、特定のメッセージタイプが、ＡＲＩＮＣ６１８メッセージ、ＡＲＩＮＣ６２３エアトラフィックサービス（ＡＴＳ）メッセージ、航空情報（ＮＯＴＡＭ）メッセージ、定時航空実況気象通報式、空港ターミナル情報サービス（ＡＴＩＳ）メッセージ、又はデータベースによって定義された航空路線固有メッセージを含む、例１４のシステムを含む。
【００５２】
[0060]例１６は、プロセッサが、現在位置情報を使用することによって、メッセージを受信するための適切な周波数を自動的に決定することと、無線ユニットを適切な周波数に同調させることとを行うように構成された、例１４〜例１５のうちのいずれかのシステムを含む。
【００５３】
[0061]例１７は、プロセッサユニットが、受信されたメッセージのうちのいずれが後続すべきかに関する決定を提供するか、又はさらなる決定のために地上局に送られる報告をトリガする、受信されたデータメッセージと受信された音声メッセージとの間の優先度決定及び相互検査論理を含む埋込みアルゴリズムを使用して検証及び安全拡張プロトコルを実行するように構成された、例１〜例１６のうちのいずれかのシステムを含む。
【００５４】
[0062]例１８は、データ通信又は音声通信を聞くためのシステムであって、システムが、データメッセージ又は音声メッセージ、あるいはデータメッセージと音声メッセージの両方を含むメッセージを受信するように動作可能な少なくとも１つのアンテナと、少なくとも１つのアンテナと通信している航空無線機であって、少なくとも１つのアンテナからメッセージを受信するように動作可能であり、ＶＨＦ無線機、ＳＡＴＣＯＭ無線機、又はＨＦ無線機を含む、航空無線機と、航空無線機と通信している選択可能なインターフェースであって、メッセージに対応する信号を受信するように動作可能な、選択可能なインターフェースと、選択可能なインターフェースを通して航空無線機と通信しているモバイルコンピューティングデバイスであって、選択可能なインターフェースからのメッセージに対応する信号を受信するように動作可能な、モバイルコンピューティングデバイスとを含み、モバイルコンピューティングデバイスは、メッセージに対応する信号を処理するように動作可能なプロセッサユニットと、プロセッサユニットと通信しているディスプレイユニットであって、メッセージに対応する信号に応答して動作可能に有効にされ、メッセージをテキストフォーマット又はグラフィックスフォーマットで示すように動作可能な、ディスプレイユニットとを含む、システムを含む。
【００５５】
[0063]例１９は、モバイルコンピューティングデバイスが、タブレットコンピュータを含む、例１８のシステムを含む。
[0064]例２０は、データ通信又は音声通信を聞くためのモバイルコンピューティングデバイスであって、アビエーション帯域幅中で少なくとも１つのアンテナからデータメッセージ又は音声メッセージ、あるいはデータメッセージと音声メッセージの両方を含むメッセージに対応する信号を受信するように動作可能なソフトウェア無線機と、ソフトウェア無線機と通信しているプロセッサユニットであって、メッセージに対応する信号を処理するように動作可能な、プロセッサユニットと、プロセッサユニットと通信しているディスプレイユニットであって、メッセージに対応する信号に応答して動作可能に有効にされ、メッセージをテキストフォーマット又はグラフィックスフォーマットで示すように動作可能な、ディスプレイユニットとを含む、モバイルコンピューティングデバイスを含む。
【００５６】
[0065]本発明は、それの本質的特性から逸脱することなく、他の特定の形態で実施され得る。説明された実施形態は、すべての点で例示的にすぎず、限定的でないと見なされるべきである。本発明の範囲は、したがって、上記の説明によってというよりむしろ添付の特許請求の範囲によって示される。特許請求の範囲の等価の意味及び範囲内に入るすべての変更は、特許請求の範囲内に包含されるべきである。
【図１】
2019536298.tif 000003
【図２】
2019536298.tif 000004
【図３】
2019536298.tif 000005
【図４】
2019536298.tif 000006
【図５】
2019536298.tif 000007
【図６】
2019536298.tif 000008
【図７】
2019536298.tif 000009
【手続補正書】
【提出日】令和1年7月1日(2019.7.1)
【手続補正１】
【補正対象書類名】特許請求の範囲
【補正対象項目名】全文
【補正方法】変更
【補正の内容】
【特許請求の範囲】
【請求項１】
データ通信又は音声通信を聞くためのシステムであって、前記システムは、
データメッセージもしくは音声メッセージ、又はデータメッセージと音声メッセージの両方を含むメッセージを受信するように動作可能な少なくとも１つのアンテナと、
前記少なくとも１つのアンテナと通信する無線ユニットであって、前記少なくとも１つのアンテナからの前記メッセージに対応する信号を受信するように動作可能な、無線ユニットと、
前記無線ユニットと通信するプロセッサユニットであって、前記メッセージに対応する前記信号を処理するように動作可能な、プロセッサユニットと、
前記プロセッサユニットと通信するディスプレイユニットであって、前記メッセージに対応する前記信号に応答して動作可能に有効にされ、前記メッセージをテキストフォーマット又はグラフィックスフォーマットで示すように動作可能な、ディスプレイユニットと
を含む、システム。
【請求項２】
前記無線ユニット、前記プロセッサユニット、及び前記ディスプレイユニットは、すべてモバイルコンピューティングデバイスにおいて実装され、
前記少なくとも１つのアンテナは、前記モバイルコンピューティングデバイスに組み込まれ、
前記無線ユニットは、ソフトウェア無線機を含む、請求項１に記載のシステム。
【請求項３】
前記無線ユニットと通信する選択可能なインターフェースであって、前記プロセッサユニット及び前記ディスプレイユニットは、モバイルコンピューティングデバイスにおいて実装され、前記選択可能なインターフェースは、前記無線ユニットと前記モバイルコンピューティングデバイスとの間の通信接続を提供する、選択可能なインターフェースと、
地理的又は干渉シナリオに基づく前記少なくとも１つのアンテナと１つ又は複数のリレーアンテナとの間の状況に応じた切替えのための制御論理を含む切替え可能無線周波数（ＲＦ）アンテナユニットと
をさらに含み、
前記無線ユニットは、超高周波（ＶＨＦ）無線機、衛星通信（ＳＡＴＣＯＭ）無線機、又は高周波（ＨＦ）無線機を含み、
前記通信接続は、オーディオ接続、ユニバーサルシリアルバス（ＵＳＢ）接続、又は短距離ワイヤレス接続を含む、請求項１に記載のシステム。
【国際調査報告】
2019536298.tif 000010
2019536298.tif 000011